(57)【特許請求の範囲】
【請求項１】
車両共有サービスにおける車両および車両共有サービスに対する優待サービスを提供するための情報を管理する車両管理サーバであって、
車両の貸し出し状況や予約に関する車両管理データを蓄積する車両管理データベースと、
所定の優待サービスの内容および条件に関するデータを蓄積しているクーポンデータベースと、
サービス対象車両からの現在位置データを取得する車両位置データ受信手段と、
サービス対象車両におけるエンジンのオンオフデータを取得するエンジンデータ受信手段と、
前記の現在位置データおよびオンオフデータを用いてクーポンデータベースに蓄積された条件を検証することによって優待サービスを発行するか否かを判断する条件判断手段と、
その条件判断手段が優待サービスを発行すると判断した場合に、当該サービス対象車両の利用者に係る携帯通信端末へ電子クーポンを送信する電子クーポン送信手段と、
サービス対象車両を利用する利用者が当該サービス対象車両に乗車して向かう予定の目的地を入力した場合に、その目的地データを受信する目的地データ受信手段と、
を備え、
前記のクーポンデータベースに蓄積されている優待サービスの適用される目的地が、前記の車両位置データ受信手段による現在位置データを取得できない場合であって、前記の目的地データ受信手段が当該優待サービスの適用される目的地を受信した場合には、
前記の条件判断手段は、現在位置データが当該目的地の近傍に到達した場合に優待サービスを発行する旨を判断することとし、
前記の電子クーポン送信手段は、当該目的地の近傍へサービス対象車両が到達した場合に電子クーポンを送信することとした
車両管理サーバ。
【請求項２】
マーケティングデータを蓄積するマーケティングデータベースを備え、
前記のエンジンデータ受信手段は、サービス対象車両がエンジンをオフとした時刻データを含むまたはエンジンデータを受信した時刻データを含むこととするとともに、
サービス対象車両がエンジンをオンとした時刻データを含むまたはエンジンデータを受信した時刻データを含むこととし、
前記のマーケティングデータベースは、前記のエンジンデータ受信手段によるエンジンのオンオフデータの時刻データをも蓄積することとした
請求項１に記載の車両管理サーバ。
【請求項３】
前記のクーポンデータベースは、優待サービスの内容および条件に関する複数種類のデータを蓄積しており、
前記の条件判断手段は、優待サービスの種類ごとに蓄積された条件に基づいて当該優待サービスを発行するか否かを判断することとした
請求項１または請求項２のいずれかに記載の車両管理サーバ。
【請求項４】
前記の目的地データ受信手段は、前記のサービス対象車両の利用終了前まで目的地データを受信可能とした
請求項１から請求項３のいずれかに記載の車両管理サーバ。
【請求項５】
車両共有サービスにおける車両および車両共有サービスに対する優待サービスを提供するための情報を管理する車両管理サーバを制御するためのコンピュータプログラムであって、
前記の車両管理サーバは、  車両の貸し出し状況や予約に関する車両管理データを蓄積する車両管理データベースと、  所定の優待サービスの内容および条件に関するデータを蓄積しているクーポンデータベースと、を備えており、
サービス対象車両からの現在位置データを取得する車両位置データ受信手順と、
サービス対象車両におけるエンジンのオンオフデータを取得するエンジンデータ受信手順と、
前記の現在位置データおよびオンオフデータを用いてクーポンデータベースに蓄積された条件を検証することによって優待サービスを発行するか否かを判断する条件判断手順と、
その条件判断手順にて優待サービスを発行すると判断した場合に、当該サービス対象車両の利用者に係る携帯通信端末へ電子クーポンを送信する電子クーポン送信手順と、
サービス対象車両を利用する利用者が当該サービス対象車両に乗車して向かう予定の目的地を入力した場合に、その目的地データを受信する目的地データ受信手順と、
を車両管理サーバに実行させることとし、且つ、
前記のクーポンデータベースに蓄積されている優待サービスの適用される目的地が、前記の車両位置データ受信手順にて現在位置データを取得できない場合であって、  前記の目的地データ受信手順にて当該優待サービスの適用される目的地を受信した場合には、
前記の条件判断手順において、現在位置データが当該目的地の近傍に到達した場合に優待サービスを発行する旨を判断することとし、
前記の電子クーポン送信手順は、当該場所へサービス対象車両が到達した場合に電子クーポンを送信することとした
コンピュータプログラム。
【請求項６】
前記の車両管理サーバには、マーケティングデータを蓄積するマーケティングデータベースを備え、
前記のエンジンデータ受信手順においては、サービス対象車両がエンジンをオフとした時刻データを含むまたはエンジンデータを受信した時刻データを含むこととするとともに、  サービス対象車両がエンジンをオンとした時刻データを含むまたはエンジンデータを受信した時刻データを含むこととし、
前記のエンジンデータ受信手順によるエンジンのオンオフデータの時刻データをマーケティングデータベースに蓄積するオンオフデータ時刻データ蓄積手順を、
車両管理サーバに実行させることとした請求項５に記載のコンピュータプログラム。
【請求項７】
前記のクーポンデータベースは、優待サービスの内容および条件に関する複数種類のデータを蓄積しており、
前記の条件判断手順は、優待サービスの種類ごとに蓄積された条件に基づいて当該優待サービスを発行するか否かを判断することとした
請求項５または請求項６のいずれかに記載のコンピュータプログラム。
【請求項８】
前記の目的地データ受信手順は、前記のサービス対象車両の利用終了前まで目的地データを受信可能とした
請求項５から請求項７のいずれかに記載のコンピュータプログラム。
【発明の詳細な説明】
【技術分野】
【０００１】
本発明は、駐車場を提供する店舗に対する適切なマーケティング活動を支援するカーシェアリングまたはレンタカーを、円滑に実行するための情報処理技術に関する。
【背景技術】
【０００２】
複数の車両を複数のユーザが共同で使用するカーシェアリングシステムが、普及しつつある。カーシェアリングを利用する利用者は、カーシェアリングの会員登録を済ませ、カーシェアリング用の自動車を確保している駐車場に出向いて直接利用する。または、携帯電話やパーソナルコンピュータを用いて利用予定の時間帯などを事前に連絡する予約制度を活用する。
【０００３】
特許文献１には、利用時間を延長する手続きを、運転の妨げにならないように実行可能な技術が開示されている。
また、特許文献２には、カーシェアリングの車両に搭載されたカーナビゲーション装置について、ユーザの利便性をより向上させることができる技術が開示されている。
【０００４】
さて、カーシェアリングの車両には、専用のカーナビゲーション装置を搭載するだけで無く、カーシェアリングに用いる車両を管理するための車両管理サーバとの通信を実行する車載器を搭載している。この車載器と車両管理サーバとの通信によって、車両の貸し出し、返却に関する管理を自動化（無人化）している。
【０００５】
カーシェアリングに用いる車両（サービス対象車両、シェアカー）には、データ処理装置として、カーシェアリング管理サーバとの無線通信を実行する車載機と、カーシェアリングのユーザ（会員登録済みユーザ）が乗車した場合に情報の伝達や意思表示の入力が行える多機能カーナビゲーション装置と、サービス対象車両の解錠、施錠をするための車両解錠センサとを備えている。
多機能カーナビゲーション装置は、ＧＰＳ(Global Position System)を利用して現在位置データを取得し、車載機を介してカーシェアリング管理サーバへ位置データを送信している。
【０００６】
図１１および図１２を用いて、更に詳しく説明する。以下、カーシェアリングサービスに用いる自動車を「シェアカー」と表記する。
カーシェアリングを利用するには、管理および運営上の都合から、まず会員登録を済まさなければならないこととしている。すなわち、以下に示すサービスを受けることができる「車両利用希望者」や「利用者」は、全て会員登録を済ませていることとなる。
会員登録は、氏名や住所の他、利用料金の支払い口座などの会員データを予め登録する。その登録データは、会員データベースへ蓄積されるとともに、会員であることを認証するためのＩＤカード（図中「会員カード」、「登録済みカードα」と表している）が発行される。このＩＤカードには、そのユーザが会員であることを認証するために必要なデータがＩＣチップへ格納されたＩＣカードであり、シェアカーに搭載されたカードリーダ（車両解錠センサ）にかざすことでそのデータが読み取れるようになっている。施錠されているシェアカーの解錠も、前記の登録済みカードにて行う。
【０００７】
（図１１）
図１１は、利用希望者である会員ユーザが、所定の日時、場所において、シェアカーを利用したい旨、予約を行う場合の情報の流れを図示している。
会員は、パソコンやスマートフォンを用いて、予約データをカーシェアリング管理サーバへ送信する。登録済みカードαのカード番号をあわせて送信する必要があるが、カーシェアリング管理サーバから提供されているカーシェアリング専用のアプリケーションを用いれば、入力作業は簡易化される。
予約データには、会員を特定するためのデータ（カード番号）、所定の日時、シェアカーがプールされている場所、利用時間、などが含まれる。
【０００８】
カーシェアリング管理サーバには、前述の会員に関する属性情報や、利用料金に関するデータなどを格納している会員データベース、シェアカーの利用状況、予約状況などのデータを格納している車両管理データベースが存在する。
会員ユーザに係る通信端末から送信された予約データは、カーシェアリング管理サーバの予約データ受信手段が受信し、会員データベースおよび車両管理データベースを用いて、予約が可能か否か、予約可能判断手段が判断する。そして、予約の可否についての予約可否データを、予約可否出力手段が前記の通信端末へ返信する。
【０００９】
予約可能である旨の返信の後、会員ユーザが予約手続きを完了した場合、完了した予約データ（予約に係る会員情報、利用日時、利用時間など）を、予約に係るサービス対象車両（シェアカー）の車載機へ送信する。  この通信は、無線通信である。
【００１０】
（図１２）
図１２は、予約実行の当日、サービス対象車両（シェアカー）の利用を開始する際、および使用中の様子を示している。
会員ユーザは、サービス対象のある駐車場へ出向く。駐車場に複数のシェアカーがあっても、その会員ユーザがどの車両を使うべきであるかは、電子メールにて予め知らされている。
サービス対象車両の情報処理装置は、車両管理データベースから予約データを受信している。図中で「予約データ受信手段」と記載しているが、具体的に予約データを受信するのは車載機である。
【００１１】
会員ユーザは、登録済みカードαをシェアカーの車両解錠センサ（車の後部ガラスの内側に設置されているカードリーダ）へかざす。すると、シェアカーのドアロックが解錠され、会員ユーザは乗車が可能である。
乗車してエンジンを掛けると、多機能カーナビゲーション装置のタッチパネルが作動する。
乗車を開始した旨は、車載機を介してカーシェアリング管理サーバへ送信される。また、シェアカーの位置データは、定期的にカーシェアリング管理サーバへ送信される。
【先行技術文献】
【特許文献】
【００１２】
【特許文献１】特開２０１１−１５９０７２号公報
【特許文献２】特開２０１１−２２１７３８号公報
【発明の概要】
【発明が解決しようとする課題】
【００１３】
図１３を用いて、本発明が解決しようとする課題を説明する。
駐車場を提供する小売業者や各種サービス業者は、消費者に対する利便性を向上させるため、乗用車での来店者に対して、様々なサービスを提供している。  来店者に対しての駐車料金の割引または無料化が、代表的である。
来店者が所定の金額以上の売り上げをもたらした場合に、その来店者が持参する駐車券に対して所定の処理をすることで駐車料金を割り引いたり、所定時間分を無料化したりする。
こうした割引や無料化は、駐車サービスを受け身としたサービスの提供といえる。
【００１４】
一方、ＧＰＳや短距離双方向通信の機能を搭載した携帯電話（スマートフォン）に対して、店舗への入店（または店舗の近傍を通過したこと）を検知し、電子クーポンを配信するサービスも普及しつつある。このサービスは、前述した受け身のサービスよりも一歩進んだサービス提供の手法と言える。
ただし、現状では、クーポンの利用効率、売り上げ寄与率が低い上に、来るまでの来店か否かの判別ができず、電子クーポンの発行に多くの情報処理設備が必要である、という問題がある。
【００１５】
現状の携帯電話（スマートフォン）への電子クーポン配信では、自家用車等の車による来店者であるか否かの判別はできない。車での来店であるか否かを判別したいという要望の背景としては、車での来店の場合には徒歩などによる来店の場合よりも客単価が高額となる傾向にある、という経験的な結論に基づいている。
車での来店である、ということが判明できれば、車以外の来店者よりも高額な割引サービスを提供することができることになるのである。
【００１６】
店舗や商業施設の経営者としては、所定の店舗や商業施設に、どのくらいの滞在時間があったのか、ということを知りたい、というニーズもある。  滞在時間と客単価とは相関関係にある、ということが経験的に把握されている。
しかし、スマートフォンに搭載されたＧＰＳ機能に基づいて、滞在時間を正確に判定するのは、困難である。ＧＰＳの精度が高くないなど、技術的な問題が残っているためである。
たとえば建物が多い地域では、最大で数百メートルの誤差を生じてしまうことが判明している。このような誤差のある位置データおよびその時刻データから、店舗での滞在時間を算出するのは困難である。
【００１７】
短距離無線通信の設備を多く設置すれば、お客様の位置情報の取得は、ＧＰＳによる場合よりも正確になる。いずれかの短距離無線通信装置とお客様に係る携帯通信端末（スマートフォン）とが通信したかを把握することで、当該通信装置の位置に近い場所にお客様が居たという存在証明となるからである。
しかし、これを実現するためには、少なくない設備投資を必要とすることとなる。
【００１８】
本発明が解決しようとする課題は、カーシェアリングやレンタルカーのサービスを利用する利用者に対する電子クーポンの的確な発行、および店舗や商業施設への来店者が来るまでの来店者か否かといったマーケティングデータのより的確な取得を実現するための技術を提供することにある。
【課題を解決するための手段】
【００１９】
（第一の発明）
第一の発明は、車両共有サービスにおける車両および車両共有サービスに対する電子クーポンを提供するための情報を管理する車両管理サーバに係る。
車両の貸し出し状況や予約に関する車両管理データを蓄積する車両管理データベースと、  所定の電子クーポンの内容および条件に関するデータを蓄積しているクーポンデータベースと、  サービス対象車両からの現在位置データを取得する車両位置データ受信手段と、  サービス対象車両におけるエンジンのオンオフデータを取得するエンジンデータ受信手段と、  前記の現在位置データおよびオンオフデータを用いてクーポンデータベースに蓄積された条件を検証することによって電子クーポンを発行するか否かを判断する条件判断手段と、  その条件判断手段が電子クーポンを発行すると判断した場合に、当該サービス対象車両の利用者に係る携帯通信端末へ電子クーポンを送信する電子クーポン送信手段と、
を備える。
【００２０】
（用語説明）
「車両共有サービス」とは、カーシェアリングを管理運営するサービス、およびカーレンタルサービスの両方を指すものとする。
「サービス対象車両」とは、カーシェアリングであれば「シェアカー」、カーレンタルサービスであれば「レンタルされる車両（レンタカー）」を指すものとする。
「電子クーポン」とは、駐車料金の割引や無償化、商品など提供、サービスの付加、車両共有サービスの利用料金の割引、経済的価値のあるポイントの付与など、あるいはそれらとの割引との組合せなども含まれる。
サービス対象車両の利用を希望する者は、カーシェアリングの場合には、予め会員登録をした会員ユーザであることが一般的である。
電子クーポンの内容を送信するタイミングは、特に限定していないが、予約時には存在しなかった電子クーポンに基づくサービスの適用も受けられる可能性を確保できることが望ましい。
【００２１】
（作用）
予め、車両管理データベースには、車両の貸し出し状況や予約に関する車両管理データを蓄積する。また、クーポンデータベースには、  所定の電子クーポンの内容および条件に関するデータを蓄積する。
サービス対象車両からの現在位置データを、車両位置データ受信手段が取得する。また、サービス対象車両におけるエンジンのオンオフデータをエンジンデータ受信手段が取得する。
条件判断手段は、前記の現在位置データおよびオンオフデータを用いてクーポンデータベースに蓄積された条件を検証することによって電子クーポンを発行するか否かを判断する。  その条件判断手段が電子クーポンを発行すると判断した場合には、電子クーポン送信手段が当該サービス対象車両の利用者に係る携帯通信端末へ電子クーポンを送信する。
【００２２】
車両共有サービスの利用者にとっては、利用可能性の高い電子クーポンだけが発行される。電子クーポンの発行者としては、利用可能性の高い電子クーポンを効率的に発行できる。
【００２３】
（第一の発明のバリエーション１）
第一の発明は、サービス対象車両を利用する利用者が当該サービス対象車両に乗車して向かう予定の目的地を入力した場合に、その目的地データを受信する目的地データ受信手段を備えることとしてもよい。
サービス対象車両を利用する利用者による目的地データの入力は、サービス対象車両に搭載されたカーナビゲーション装置を介して行われるのが一般的である。利用者に係る情報端末から送信されることとすることも可能である。
【００２４】
（作用）
目的地データを受信することで、どの目的地が多いのか、その目的地から推測される商業施設、店舗などはどこなのか、を推定するためのデータを取得できる。
【００２５】
（第一の発明のバリエーション２）
第一の発明は、以下のようにすることもできる。
すなわち、  マーケティングデータを蓄積するマーケティングデータベースを備える。
前記のエンジンデータ受信手段は、エンジンをオフとした時刻データを含むまたはエンジンデータを受信した時刻データを含むこととするとともに、  エンジンをオンとした時刻データを含むまたはエンジンデータを受信した時刻データを含むこととし、  前記のマーケティングデータベースは、前記のエンジンデータ受信手段によるエンジンのオンオフデータの時刻データをも蓄積する。
【００２６】
（作用）
前記のエンジンデータ受信手段は、サービス対象車両がエンジンをオフとした時刻データを含むまたはエンジンデータを受信した時刻データを含む。  エンジンをオンとした時刻データを含むまたはエンジンデータを受信した時刻データを含む。  マーケティングデータベースを備え、そこには前記のエンジンデータ受信手段によるエンジンのオンオフデータの時刻データをも蓄積する。
【００２７】
以上によって、サービス対象車両の位置データとともに、どこへ、いつからいつまで駐車していたのかを把握することができる。そのため、クーポンの利用者が来るまでの来店か否か、店舗近辺へどの程度の時間滞在したのか、といったデータを取得できることとなる。
【００２８】
（第一の発明のバリエーション３）
第一の発明におけるバリエーション１は、  前記のクーポンデータベースに蓄積されている優待サービスの適用される目的地が、前記の車両位置データ受信手段による現在位置データを取得できない場合であって、  前記の目的地データ受信手段が当該優待サービスの適用される目的地を受信した場合には、以下のように形成する。
すなわち、前記の条件判断手段は、現在位置データが当該目的地の近傍に到達した場合に優待サービスを発行する旨を判断することとし、  前記の電子クーポン送信手段は、当該場所へサービス対象車両が到達した場合に電子クーポンを送信することとするのである。
【００２９】
上記のバリエーション３は、目的地の駐車場が地下やビル内などにある場合、サービス対象車両の現在位置データを車両管理サーバが受信できない場合に有効である。
【００３０】
（第一の発明のバリエーション４）
第一の発明は、以下のように形成してもよい。
すなわち、  前記のクーポンデータベースは、優待サービスの内容および条件に関する複数種類のデータを蓄積する。そして、  前記の条件判断手段は、優待サービスの種類ごとに蓄積された条件に基づいて当該優待サービスを発行するか否かを判断することとする。
【００３１】
（作用）
前記のクーポンデータベースは、優待サービスの内容および条件に関する複数種類のデータを蓄積しているので、優待サービスの種類ごとに蓄積された条件に基づいて当該優待サービスを発行するか否かを判断し、当該優待サービスを発行する場合に、複数の優待サービスが発行される場合がある。
サービス対象車両の利用者としては、一度の乗車において複数種類の優待サービスを受けることができる可能性があり、優待サービスの発行元としては、サービス対象車両の利用者を呼び込む手段としての選択肢が広がる（図９）。
【００３２】
（第一の発明のバリエーション５）
第一の発明におけるバリエーション１は、  前記の目的地データ受信手段は、前記のサービス対象車両の利用終了前まで目的地データを受信可能とすると、より好ましい。
【００３３】
（作用）
サービス対象車両の利用者は、サービス対象車両の乗車開始前のみならず、サービス対象車両の利用終了前までであれば、途中でも目的地データを入力することができる（図１０）。その目的地データを受信した車両管理サーバでは、新たなクーポンの発行などのサービスを提供できる。
【００３４】
（第二の発明）
第二の発明は、  車両共有サービスにおける車両および車両共有サービスに対する優待サービスを提供するための情報を管理する車両管理サーバを制御するためのコンピュータプログラムに係る。
前記の車両管理サーバは、  車両の貸し出し状況や予約に関する車両管理データを蓄積する車両管理データベースと、  所定の優待サービスの内容および条件に関するデータを蓄積しているクーポンデータベースと、を備えている。
そして、サービス対象車両からの現在位置データを取得する車両位置データ受信手順と、  サービス対象車両におけるエンジンのオンオフデータを取得するエンジンデータ受信手順と、  前記の現在位置データおよびオンオフデータを用いてクーポンデータベースに蓄積された条件を検証することによって優待サービスを発行するか否かを判断する条件判断手順と、  その条件判断手順にて優待サービスを発行すると判断した場合に、当該サービス対象車両の利用者に係る携帯通信端末へ電子クーポンを送信する電子クーポン送信手順と、を車両管理サーバに実行させることとしたコンピュータプログラムである。
【００３５】
第二の発明は、サービス対象車両を利用する利用者が当該サービス対象車両に乗車して向かう予定の目的地を入力した場合に、その目的地データを受信する目的地データ受信手順を、車両管理サーバに実行させることとしてもよい。
【００３６】
（第二の発明のバリエーション２）
第二の発明は、以下のようにしても良い。
すなわち、  前記の車両管理サーバには、マーケティングデータを蓄積するマーケティングデータベースを備える。
前記のエンジンデータ受信手順においては、サービス対象車両がエンジンをオフとした時刻データを含むまたはエンジンデータを受信した時刻データを含むこととするとともに、  サービス対象車両がエンジンをオンとした時刻データを含むまたはエンジンデータを受信した時刻データを含むこととする。
そして、前記のエンジンデータ受信手順によるエンジンのオンオフデータの時刻データをマーケティングデータベースに蓄積するオンオフデータ時刻データ蓄積手順を、車両管理サーバに実行させることとしてもよい。
【００３７】
（第二の発明のバリエーション３）
第二の発明におけるバリエーション1は、  前記のクーポンデータベースに蓄積されている優待サービスの適用される目的地が、前記の車両位置データ受信手順にて現在位置データを取得できない場合であって、  前記の目的地データ受信手順にて当該優待サービスの適用される目的地を受信した場合に、以下のように形成する。
すなわち、前記の条件判断手順において、現在位置データが当該目的地の近傍に到達した場合に優待サービスを発行する旨を判断することとし、
前記の電子クーポン送信手順は、当該場所へサービス対象車両が到達した場合に電子クーポンを送信する。
【００３８】
（第二の発明のバリエーション４）
第二の発明は、前記のクーポンデータベースは、優待サービスの内容および条件に関する複数種類のデータを蓄積することとし、
前記の条件判断手順は、優待サービスの種類ごとに蓄積された条件に基づいて当該優待サービスを発行するか否かを判断することとすれば、より好ましい。
【００３９】
（第二の発明のバリエーション５）
第二の発明におけるバリエーション１は、前記の目的地データ受信手順について、前記のサービス対象車両の利用終了前まで目的地データを受信可能とすると、より好ましい。
【００４０】
第二の発明に係るコンピュータプログラムを、記録媒体へ記憶させて提供することもできる。
ここで、「記録媒体」とは、それ自身では空間を占有し得ないプログラムを担持することができる媒体である。例えば、フレキシブルディスク、ハードディスク、ＣＤ−Ｒ、ＣＤ−ＲＷ、ＭＯ（光磁気ディスク）、ＤＶＤ−Ｒ、ＤＶＤ−ＲＷ、フラッシュメモリなどである。
また、この発明に係るプログラムを格納したコンピュータから、通信回線を通じて他の端末手段へ伝送することも可能である。
【発明の効果】
【００４１】
第一の発明によれば、カーシェアリングやレンタルカーのサービスを利用する利用者に対する電子クーポンの的確な発行、および店舗や商業施設への来店者が来るまでの来店者か否かといったマーケティングデータのより的確な取得を実現する車両管理サーバを提供することができた。
第二の発明によれば、カーシェアリングやレンタルカーのサービスを利用する利用者に対する電子クーポンの的確な発行、および店舗や商業施設への来店者が来るまでの来店者か否かといったマーケティングデータのより的確な取得を実現するコンピュータプログラムを提供することができた。
【図面の簡単な説明】
【００４２】
【図１】第一の実施形態のハードウェア構成の概略図である。
【図２】第一の実施形態の概要を示すブロック図である。
【図３】第一の実施形態の概要（予約時）を示すブロック図である。
【図４】第一の実施形態における電子クーポンの発行を示す概略図である。
【図５】第一の実施形態における電子クーポンの発行手順を示すフローチャートである。
【図６】第二の実施形態における電子クーポンの発行手順を示すフローチャートである。
【図７】会員の行動推測を実行する様子を示すブロック図である。
【図８】シェアカーの多機能カーナビゲーション装置における画面出力の例を示す図である。
【図９】ドライブコースの予約と、そのコースにおける電子スタンプの発行を示す概念図である。
【図１０】ドライブの途中での目的地入力（追加）と電子クーポン発行を示す概念図である。
【図１１】一般のカーシェアリングの予約時を示すブロック図である。
【図１２】一般のカーシェアリングにおけるサービス対象車両の利用時を示すブロック図である。
【図１３】現状とその問題点を図示した概略図である。
【発明を実施するための形態】
【００４３】
以下、本発明を実施形態に基づいて説明する。ここで使用する図面は、図１から図１０である。
以下の実施形態では、カーシェアリングサービスと、鉄道とを組み合わせたサービスにおける優待サービスを主に説明する。ただし、カーシェアリングサービスは、レンタカーサービスと置き換えることができる。
以下、カーシェアリングサービスに用いる自動車（サービス対象車両）を「シェアカー」と表記する。
なお、タッチパネルの表示画面の文言は、適宜変更されることがある。
【００４４】
本実施形態において説明するカーシェアリングを利用するには、管理および運営上の都合から、まず会員登録を済まさなければならないこととしている。すなわち、以下の実施形態に示すサービスを受けることができる「車両利用希望者」や「利用者」は、全て会員登録を済ませていることとなる。
【００４５】
会員登録は、氏名や住所の他、利用料金の支払い口座などの会員データを予め登録する。その登録データは、会員データベースへ蓄積されるとともに、会員であることを認証するためのＩＤカード（図中「ＴＰカード」、「登録済みカードα」と表している）が発行される。このＩＤカードには、そのユーザが会員であることを認証するために必要なデータがＩＣチップへ格納されたＩＣカードであり、シェアカーに搭載されたカードリーダ（車両解錠センサ）にかざすことでそのデータが読み取れるようになっている。施錠されているシェアカーの解錠も、前記の登録済みカードにて行う。
【００４６】
シェアカーの返却時には、利用者は、以下のように動作する。
すなわち、シェアカーを、カーシェアリングの基地となっている駐車スペースへ停車させ、シェアカーのシフトレバーをパーキングモードにする。エンジンキーを抜き、グローブボックスをあける。グローブボックスの中には、エンジンキーを収納しておくキーボックスが設けられている。そのキーボックスへエンジンキーを挿入し、返却ポジションへ回す。登録済みカードをカードリーダ（車両解錠センサ）にかざすことで、シェアカーを施錠する。
【００４７】
（図１）
図１は、カーシェアリング管理サーバと、サービス対象車両（シェアカー）に搭載されたデータ処理装置と、シェアカーを利用する会員に係る携帯通信端末（スマートフォンを含む携帯電話、タブレット型ＰＣなど）の関係を示している。
サービス対象車両には、カーシェアリング管理サーバとの無線通信を実行する車載機、カードリーダとしての車両解錠センサ、およびカーナビゲーションのみならずカーシェアリングに関する各種の案内や会員ユーザからの連絡事項などを入出力する多機能カーナビゲーション装置が、データ処理装置として搭載されている。
【００４８】
カーシェアリング管理サーバは、前述したように、会員管理、予約管理を含めた車両管理、優待データに関する管理などを実行する。
車載機は、カーシェアリング管理サーバとの無線通信のほか、車両解錠センサおよび多機能カーナビゲーション装置とのシリアル通信を行う。
【００４９】
車両解錠センサは、登録済みカードとの近距離無線通信によって必要なデータの送受信を行う。
【００５０】
多機能カーナビゲーション装置は、タッチパネルを備えており、車載機を介して送り込まれた各種のデータを用いての会員ユーザへのメッセージ表示や、会員の意思表示をタッチパネルによる入力の受付（サービス用ボタン表示）、その入力内容を車載機への送信、などを行う。
カーナビゲーション機能を担保するため、ＧＰＳ(Global Position System)を利用して現在位置データを取得している。そしてその現在位置データは、車載機を介してカーシェアリング管理サーバへ送信する。
【００５１】
シェアカーを利用する会員に係る携帯通信端末は、カーシェアリング管理サーバとの無線通信が可能であるように、予め専用のアプリケーションをインストールしてある。そのアプリケーションは、シェアカーの予約などにも用いる。
ただし、専用のアプリケーションが必須であるとする必要はなく、カーシェアリング管理サーバが予め把握しているメールアドレスにて、カーシェアリング管理サーバからの連絡や電子クーポンの受信が可能である、としてもよい。
【００５２】
電子クーポンの原資は、電子クーポンを使用できる商店などのスポンサーが提供し、カーシェアリング管理サーバの管理運営者へ委託する。
ポイント特典の場合には、カーシェアリング管理サーバの管理運営者が提供する場合もある。
【００５３】
（図２）
図２は、前述したハードウェア構成によって提供される「ドライブチェックイン」という言葉に集約されるサービスの概要を示したものである。
会員ユーザがシェアカーを解錠し、エンジンを掛けると、多機能カーナビゲーションが「ドライブチェックイン」という画面を表示する。その画面には、カーシェアリング管理サーバにて予め登録され（会員ユーザに対する特典が用意され）た目的地を会員ユーザが選択可能であるように表示されている。
【００５４】
多機能カーナビゲーションの画面へ表示された目的地を会員ユーザが選択すると（画面にタッチすると）、多機能カーナビゲーションによる道先案内が開始される（１）。この図では、「施設Ａ」を選択したとする。  同時に、車載機の通信機能を介して、会員ユーザが施設Ａを目的地として選択した旨が、カーシェアリング管理サーバへ送信される。
【００５５】
その後、会員ユーザがシェアカーを目的地に向かって運転することとなるが、シェアカーの位置データについては、カーシェアリング管理サーバへ随時送信される。
そして、カーシェアリング管理サーバまたは車載端末内において、シェアカーが目的地に着いたか否か、を判断する（２）。
【００５６】
シェアカーが目的地に近づいたと、カーシェアリング管理サーバが判断した場合、会員ユーザに係る携帯情報端末へ、施設Ａまたは施設Ａに関係する電子クーポン（ＴＰチケット）を送信する（３）。
目的地によっては、ポイント特典が付与される。
【００５７】
上述したように、本実施形態ではシェアカーが目的地に近づいたという条件を満たさないと、電子クーポンやポイント特典を付与しないようにしている。
会員ユーザにとっては、使わない電子クーポンが送信されてくる煩わしさから解放される。電子クーポンの提供者としては、使われる可能性が高い電子クーポンの送信を委託することができる。カーシェアリング管理サーバとしては、電子クーポンの送信負荷を軽減できる。
【００５８】
（図３）
図３では、利用希望者である会員ユーザが、所定の日時、場所において、シェアカーを利用したい旨、予約を行う場合の情報の流れを図示している。
会員は、パソコンやスマートフォンを用いて、予約データをカーシェアリング管理サーバへ送信する。登録済みカードαのカード番号をあわせて送信する必要がある。前述したように、カーシェアリング管理サーバから提供されているカーシェアリング専用のアプリケーションを用いれば、入力作業は簡易化される。
予約データには、会員を特定するためのデータ（カード番号）、所定の日時、シェアカーがプールされている場所、利用時間、などが含まれる。
【００５９】
カーシェアリング管理サーバには、前述の会員に関する属性情報や、利用料金に関するデータなどを格納している会員データベース、シェアカーの利用状況、予約状況などのデータを格納している車両管理データベースが存在する。
また、各種の電子クーポンに関する内容（発行条件やクーポンによる特典の内容など）や、ポイント特典（発行条件やポイント量など）を格納したクーポンデータベースも存在する。
【００６０】
会員ユーザに係る通信端末から送信された予約データは、カーシェアリング管理サーバの予約データ受信手段が受信し、会員データベースおよび車両管理データベースを用いて、予約が可能か否か、予約可能判断手段が判断する。そして、予約の可否についての予約可否データを、予約可否出力手段が前記の通信端末へ返信する。
予約可能である旨の返信の後、会員ユーザが予約手続きを完了した場合、完了した予約データ（予約に係る会員情報、利用日時、利用時間など）を、予約に係るサービス対象車両（シェアカー）の車載機へ送信する。
【００６１】
クーポンデータベースには、以下のようなデータが格納されている。
たとえば、７月１日から１４日まで、カーシェアリングを利用して施設Ａの駐車場へ駐車する場合には、駐車料金を割り引く、当日限りの利用料金１０％割引となる、といったデータである。
【００６２】
さて、予約可否データが予約可能である場合、クーポン判断手段が、クーポンデータベースに基づいて特典が受けられる可能性の有無を判断する。そして、図２にて説明したように、シェアカーが施設Ａに近づいたことを検知した場合には、会員ユーザに係る携帯情報端末へ、電子クーポンを送信するのである。
【００６３】
なお、特典の可能性有りの場合には、クーポン送信手段が該当する電子クーポンの紹介データを、予約に係るサービス対象車両（シェアカー）の車載機へ送信しておく。多機能カーナビゲーションの「ドライブチェックイン」の画面において、クーポンの有無などを円滑に表示可能としておくためである。
【００６４】
会員ユーザが予約通りにカーシェアリングの利用は実行したものの、用意されている電子クーポンとは関係ない場所を目的地としてシェアカーを利用した場合には、電子クーポンが発行されたり、ポイント特典を会員ユーザが得たりすることはない。
【００６５】
（図４）
図４は、予約実行の当日、サービス対象車両（シェアカー）の利用を開始する際の様子を示している。
会員ユーザは、予約に係るカーシェアリングの駐車場へ出向く。駐車場に複数のシェアカーがあっても、その会員ユーザがどの車両を使うべきであるかは、電子メールにて予め知らされている。
【００６６】
サービス対象車両の情報処理装置は、車両管理データベースから予約データを受信している。図中で「予約データ受信手段」と記載しているが、具体的に予約データを受信するのは車載機である。
会員ユーザは、登録済みカードαをシェアカーの車両解錠センサ（車の後部ガラスの内側に設置されているカードリーダ）へかざす。すると、シェアカーのドアロックが解錠され、会員ユーザは乗車が可能である。
乗車してエンジンを掛けると、多機能カーナビゲーション装置が起動し、操作可能となる。
【００６７】
操作可能となった多機能カーナビゲーション装置には、目的地の入力を促す画面が表示される。図２に示したように、「ドライブチェックイン」のページにおいて表示された目的地であれば、会員ユーザはその画面から選択（タッチ）するだけで良い。
入力された目的地は、カーシェアリング管理サーバへ送信される。そして、クーポンデータベースに予め蓄積されているクーポンの発行条件などのクーポンデータによって、クーポンの発行可能性を判断する（この時点では、クーポンは発行しない）。
【００６８】
サービス対象車両に搭載されたＧＰＳからは、当該サービス対象車両の位置データが定期的にカーシェアリング管理サーバへ送信される。
また、サービス対象車両のエンジンが切られたか、かかっているか、についてのエンジンデータについてもカーシェアリング管理サーバへ送信される。
【００６９】
この位置データおよびエンジンデータをも用いて、クーポン発行に関する条件判断が実行される。クーポン発行条件を満たした場合には、会員データベースへ予め登録されている会員ユーザの携帯情報端末のメールアドレスを使い、電子クーポンを送信するのである。
【００７０】
会員ユーザとしては、サービス対象車両を駐車した位置と関係の深い電子クーポンを入手できることとなる。換言すれば、サービス対象車両を駐車した位置と関係の薄い電子クーポンが送信されてくる可能性が少なく、煩わしさが小さい。
また、サービス対象車両のエンジンをオフとしてから電子クーポンを受信するので、運転中に電子メールを受信することによって受信したメールを運転中に読む、といった危険な状況を未然に回避できる。
【００７１】
なお、目的地入力（チェックイン）した場所が通信圏外の場合には、その目的地における所定の場所周辺（通信圏内エリア）へサービス対象車両が到達した場合、電子クーポンを送信するように、予め設定している。
【００７２】
電子クーポンの発行を依頼した提供者としては、無駄な電子クーポンの発行数を抑えることができる。
また、カーシェアリング管理サーバとしては、無駄な電子クーポンの発行がないので、ハードウェアとしての付加を抑えることができる。
【００７３】
（図５）
図５は、電子クーポン発行の流れの一例をフローチャートにて説明している。
まず、会員ユーザがサービス対象車両のエンジンを始動させる。次に、会員ユーザは、多機能カーナビゲーション装置を用いて目的地を設定する。
カーシェアリング管理サーバでは、会員ユーザが設定した目的地について、クーポンが存在するか否か、クーポンデータベースにアクセスして確認する。
【００７４】
クーポンの発行条件を満たさない場合には、電子クーポンは発行されない（このフローチャートでは「終了」となる）。
クーポンの発行条件を満たしている場合（サービス対象車両のエンジンをオフにするなどの他の条件を満たしている場合）には、電子クーポンを発行する。すなわち、図３にて示したように会員データベースへ予め登録されている携帯情報端末のメールアドレスへ、電子クーポンを送信するのである。この送信が終了すると、多機能カーナビゲーション装置の画面には、「登録されている携帯電話のアドレスへ、電子クーポンを送信しました」と出力される。
【００７５】
カーシェアリング管理サーバでは、サービス対象車両のＧＰＳから送信されてくる位置データや、エンジンのオンオフなどエンジンデータを受信することによって、会員ユーザが設定した目的地にて降車し、乗車したか否かを判断する。会員ユーザが設定した目的地にて降車したり、乗車したりしていないと判断された場合には、このフローチャートでは「終了」となる。
【００７６】
会員ユーザが設定した目的地にて降車し、乗車した場合には、電子クーポンが使える店舗へ出向いた可能性が高い。この場合、多機能カーナビゲーション装置の画面には、「ご来店、有り難うございました。またのお越しを心よりお待ちしております。」と出力される。この出力は、多機能カーナビゲーション装置の画面において、「ドライブチェックイン」からチェックアウトがなされたとして処理されるのである。
【００７７】
（図６）
図６に示すのは、図５に示した電子クーポン発行の流れにおけるバリエーションである。
図５に示した電子クーポン発行の場合と異なる点は、電子クーポンの発行条件として、「エンジン停止位置に用意されたクーポンがあるか」というものである。カーシェアリング管理サーバでは、サービス対象車両のＧＰＳから送信されてくる位置データ、およびエンジンのオンオフなどエンジンデータを受信する。それらのデータによって、「エンジン停止位置に用意されたクーポンがあるか」否かを判断するのである。
【００７８】
電子クーポンの送信が終了すると、多機能カーナビゲーション装置の画面には、「登録されている携帯電話のアドレスへ、電子クーポンを送信しました」と出力される。
【００７９】
なお、図６に示した電子クーポンの発行条件と、図５に示した電子クーポンの発行条件とを、アンド条件としてもよい。
【００８０】
（図７）
図７に示すのは、サービス対象車両のエンジンを停止した位置データ（エンジンを停止させた時刻から直近に受信した位置データ）およびその時刻、および再びエンジンを掛けるまでの時刻を取得することによって、会員ユーザの行動を推測するアルゴリズムである。
カーシェアリング管理サーバは、サービス対象車両の車載機から、エンジンの停止や始動についてのエンジンデータを取得している。また、サービス対象車両のＧＰＳから、位置データを定期的に取得している。取得したデータから、エンジンを停止させた時刻、エンジンを始動させた時刻、エンジンを停止させた位置データに基づき、所定の店舗やサービス提供施設などにおける会員ユーザの滞在時間を推定するのである。
【００８１】
これまでの所定の店舗やサービス提供施設は、お客様が電子クーポンを取得した経緯と、車によって来店したか否かと、について紐付けたデータを取得することができなかった。  更に、店舗やサービス提供施設の滞在時間を知る術がなかった。あるいは、お客様の携帯情報端末の壱を特定するための短距離通信の基地局など、相賀がリナ設備が必要だった。
この実施形態によれば、会員ユーザがサービス対象車両を使って来店したこと、店舗やサービス提供施設にどのくらい滞在したか（滞在時間）を、新たなハードウェア導入をすることなく、ほぼ推定できる。
【００８２】
（図８）
図８に示すのは、多機能カーナビゲーション装置に出力される画面の例を示したものである。
図８（Ａ）は、「目的地案内」を開始するか否かを確認させる画面である。図８（Ｂ）は、「ドライブチェックインサービスカーナビ案内」を開始するか否かを確認させる画面である。
【００８３】
図８（Ｂ）に示す画面のメッセージは、通常のカーナビパラメータとして、電子クーポンの管理番号、チェックインすべき位置データとしての緯度経度が予約データに入っている場合に、カーシェアリング管理サーバを介して自動的に判別し、専用のメッセージを表示させる。
【００８４】
図示は省略するが、サービス対象車両を会員ユーザが返却する場合を説明する。
サービス対象車両を降りた会員ユーザは、会員カードαを車両解錠センサへタッチする。すると、サービス対象車両のドアはロックされる。
車両解錠センサは、会員カードαから会員ユーザ名（会員ユーザを特定できるデータ）を吸い上げ、車載機を介してカーシェアリング管理サーバへ送信する。
【００８５】
カーシェアリング管理サーバは、サービス提供を終了した会員ユーザ名に紐付いたサービス対象車両に関する管理データを、終了時刻とともに車両管理データベースへ格納する。
また、サービス料金の算出に必要な利用開始時刻、利用終了時刻などのデータは、図示を省略した料金算出手段において用いられる。料金算出手段は、利用料金を算出し、会員データベースへ格納する。その後の決済に関する手続きについては、説明を省略する。
なお、利用料金のお知らせ等の連絡は、会員ユーザが登録したメールアドレスへ送信される。
【００８６】
（図９）
図９には、ドライブコースの予約と、そのコースにおける電子スタンプの発行を示す。図８までにおいて記述してきた手順において、ドライブコースの予約および電子スタンプの発行説明に不要な箇所を省略している。
【００８７】
会員ユーザは、通信端末を用いて、カーシェアリング管理サーバへアクセスする。詳細な図示は省略するが、会員ユーザがアクセスすると、推奨のドライブコースが通信端末の画面へ表示されることとしてもよい。
推奨のドライブコースとは、施設Ａ，施設Ｂ、景勝地Ｃ、などといった複数のチェックポイントを組み合わせたものである。図９の会員ユーザは、施設Ａ、景勝地Ｃ、施設Ｂの順でドライブすることを予約データとして通信端末からカーシェアリング管理サーバへ送信する。
【００８８】
予約日時に会員ユーザが希望すれば、サービス対象車両のカーナビゲーション装置へ、施設Ａ、景勝地Ｃ、施設Ｂの順でドライブする道順をナビゲートするためのデータが送信される。
会員ユーザがサービス対象車両の運転を開始すると、そのサービス対象車両の現在位置データと、エンジンのオン／オフに関するエンジンデータは、カーシェアリング管理サーバへ送信される。そして、現在位置データおよびエンジンデータを用いた条件に合致したとクーポン判断手段が場合には、クーポン送信手段から、会員ユーザに係る携帯通信端末へ電子クーポンが送信される。
【００８９】
前述した「推奨のドライブコース」は、カーシェアリング管理サーバにおいて複数の推奨コースを予め取り決めてあり、コースごとに電子スタンプの種類（図９においては、笑顔マーク、ハートマーク、太陽マーク）と、その電子スタンプを獲得した場合のスタンプ獲得特典とが決められ、スタンプデータベースに蓄積されている。
【００９０】
図９における会員ユーザは、施設Ａに立ち寄った後に景勝地Ｃへ立ち寄り、施設Ｂに向かっているとする。この場合、会員ユーザに係る携帯通信端末には、施設Ａや景勝地Ｃのための電子クーポンが既に送信されている。カーシェアリング管理サーバは、施設Ａに近い場所としての現在位置データと、その場所でのエンジンオフデータとを取得したら、電子クーポンを送信するのである。
【００９１】
施設Ａに近い場所としての現在位置データと、その場所でのエンジンオンデータとを取得したら、その施設Ａでの立ち寄りが終了したと判断できるので、会員ユーザに係る携帯通信端末には、施設Ａの電子スタンプが送信される。
景勝地Ｃにおいても同様である。
【００９２】
会員ユーザがサービス対象車両にて施設Ｂへの立ち寄りを終了した場合、カーシェアリング管理サーバは、施設Ｂの電子スタンプおよびスタンプ獲得特典を送信する。スタンプ獲得特典とは、当日または後日使用できる新たな電子クーポンや、会員向けのポイント（現金と等価値で使用可能な電子マネー）などである。図９においては、施設Ａ、施設Ｂ，景勝地Ｃを同日に立ち寄った場合のスタンプ獲得特典として、１００ポイントの進呈として図示している。
【００９３】
カーシェアリング管理サーバの運営者は、複数の施設に立ち寄ることを前提としたドライブコースを、会員ユーザに対して推奨することができる。換言すれば、複数の施設（景勝地に隣接した駐車場やサービス施設を含む）の運営者と業務提携することが可能となる。
また、カーシェアリング管理サーバの運営者は、旅行代理サービスとして、会員ユーザへ旅行プランを提示するという見方をすることもできる。
一方、会員ユーザとしては、サービス対象車両の新たな使い方を提案してもらうことができるので、効率的に時間を使うことができ、しかも経済的なメリットも獲得できる。
【００９４】
（図１０）
図１０では、ドライブ途中で会員ユーザが目的地を追加入力し、その追加入力を受けたカーシェアリング管理サーバが電子クーポンを発行する様子を示している。
会員ユーザは、サービス対象車両の乗車開始前のみならず、サービス対象車両の利用終了前までであれば、途中でも目的地データを入力することができる。その目的地データを受信した車両管理サーバでは、新たなクーポンの発行などのサービスを提供できる。
【００９５】
図示は省略するが、目的地の追加入力は、多機能カーナビゲーション装置のほか、会員ユーザに係る携帯通信端末でも可能としている。これによって、サービス対象車両を駐車し、そこから離れた状態でも目的地の追加入力が可能である。
【産業上の利用可能性】
【００９６】
本発明は、カーシェアリングまたはレンタカーを管理運営するサービス業、カーシェアリングまたはレンタカーを実現するためのサポートをする情報通信サービス業、カーシェアリングまたはレンタカーの運営のためのコンピュータソフトウェアを作成するソフトウェア産業、カードクレジット業、旅行代理業などにおいて利用可能性を有する。
【図１】
0006601759.tif 000002
【図２】
0006601759.tif 000003
【図３】
0006601759.tif 000004
【図４】
0006601759.tif 000005
【図５】
0006601759.tif 000006
【図６】
0006601759.tif 000007
【図７】
0006601759.tif 000008
【図８】
0006601759.tif 000009
【図９】
0006601759.tif 000010
【図１０】
0006601759.tif 000011
【図１１】
0006601759.tif 000012
【図１２】
0006601759.tif 000013
【図１３】
0006601759.tif 000014